(57)【特許請求の範囲】
【請求項１】
液晶を用いて画像を表示する液晶表示パネルと、
前記液晶表示パネルの温度を測定する温度センサと、
前記液晶表示パネルの温度が基準温度であるときの標準的な駆動電圧である基準値を記憶する基準値メモリと、
前記温度センサの複数回分の測定結果の平均値として得られる平均値Ａと前記温度センサの測定結果に基づいて得られる現在値Ｂとを比較し、平均値Ａに対して現在値Ｂが高いか低いか一致しているかによって現在値ＢをＢ＋１とＢ−１とＢとの三段階の値として求め、当該求めた三段階のいずれかの値に応じた補正値を決定する補正値決定手段と、
前記補正値決定手段で決定された補正値を格納する補正値メモリと、
前記基準値と前記補正値とを足した値を前記液晶表示パネルに供給する電圧を決定するための値として用いる駆動電圧決定手段と、
を備える液晶表示装置。
【発明の詳細な説明】
【０００１】
【発明の属する技術分野】
本発明は、液晶表示パネルに画像を表示する液晶表示装置に関する。
【０００２】
【従来の技術】
液晶表示装置が備える液晶表示パネル(以下、ＬＣＤと記す)の表示濃度は、駆動電圧を変えることによって調節できる。液晶表示装置には、従来、ユーザがＬＣＤの表示状態を調節できるようにするするための調節手段が設けられているものがある。調節手段としては、例えば、ＬＣＤの画面の周囲に配設されたダイヤルを回すことによって調節する調節装置がある。
【０００３】
しかし、水濡れの可能性がある場所で使用されるような防水性を要する液晶表示装置には、ダイヤル式の調節装置は、ダイヤルの周囲の隙間から水が入るおそれがあるので不向きである。このため、防水性を重視する液晶表示装置では、キーボード操作などにより濃度調節用画面を呼び出して表示濃度の調節を行う調節手段を設けている。
【０００４】
【発明が解決しようとする課題】
ＴＮ液晶やＳＴＮ液晶，ＤＳＴＮ液晶は、温度特性を持っているため、これらの液晶が用いられた液晶表示パネル（ＬＣＤ）の表示濃度は、ＬＣＤの温度によっても変動し、気温の変化などにより、一度調節してもだんだんと表示状態が悪くなってくることがある。特に、温度変化が激しい場所に設置されている場合には、日に何度も調節しなければならないこともある。
【０００５】
ここで、ダイヤル式の調節装置ならば容易に調節できるので、濃度調節の回数が多くてもさほど不都合ではないが、濃度表示用画面を呼び出す調節手段では調節に時間がかかるので、こまめに表示濃度を調節するのは困難である。
【０００６】
このような問題に対して、ＬＣＤモジュールの中に温度補償回路を設けて、温度変化に応じてＬＣＤの駆動電圧を自動的に調節するようにした液晶表示装置は従来からある。しかし、温度補償回路は非常に高価で、これを設けることによって製品の価格が大幅に上昇してしまう。
【０００７】
本発明は、液晶表示パネルの温度変化による表示濃度の変動を自動的に補正することを目的とする。
【０００８】
また本発明は、ユーザによる表示濃度の調節の頻度を低くすることを目的とする。
【０００９】
さらに本発明は、表示濃度を自動補正する機能を低コストで付加することを目的とする。
【００１０】
【課題を解決するための手段】
請求項１記載の発明の液晶表示装置は、液晶を用いて画像を表示する液晶表示パネルと、前記液晶表示パネルの温度を測定する温度センサと、前記液晶表示パネルの温度が基準温度であるときの標準的な駆動電圧である基準値を記憶する基準値メモリと、前記温度センサの複数回分の測定結果の平均値として得られる平均値Ａと前記温度センサの測定結果に基づいて得られる現在値Ｂとを比較し、平均値Ａに対して現在値Ｂが高いか低いか一致しているかによって現在値ＢをＢ＋１とＢ−１とＢとの三段階の値として求め、当該求めた三段階のいずれかの値に応じた補正値を決定する補正値決定手段と、前記補正値決定手段で決定された補正値を格納する補正値メモリと、前記基準値と前記補正値とを足した値を前記液晶表示パネルに供給する電圧を決定するための値として用いる駆動電圧決定手段とを備える。
【００１１】
したがって、液晶表示パネルの温度変化に応じて液晶表示パネルの駆動電圧が調節されて、液晶表示パネルの表示濃度は略一定に保たれる。
【００１２】
【発明の実施の形態】
本発明の液晶表示装置の実施の一形態について、図１〜図４に基づいて説明する。図１は、本実施の形態の液晶表示装置１の外観を示す斜視図である。液晶表示装置１は、操作者による操作を受け付けるキーボード２と、操作状態を表示する液晶表示パネルであるＬＣＤ３とを備えている。
【００１３】
図２は、裏面側から見たＬＣＤ３を示す説明図である。ＬＣＤ３は、ＬＣＤモジュール４に組み込まれており、ＬＣＤモジュール４は、ＬＣＤ３の他に、ＬＣＤドライバ部５と、ＬＣＤ３の温度を測定する温度センサ６とを備えている。
【００１４】
図３は、本実施の形態の液晶表示装置１が備える制御系を示すブロック図である。液晶表示装置１は、各種の演算処理を実行して各部を集中的に制御するＣＰＵ７を有しており、ＣＰＵ７には、ＲＯＭ８及びＲＡＭ９がバスライン１０で接続されている。さらに、ＣＰＵ７には、キーボード２，ＬＣＤコントローラ１１，Ｄ／Ａコンバータ１２及びＡ／Ｄコンバータ１３が、バス接続されている。
【００１５】
ＬＣＤコントローラ１１には、ＬＣＤモジュール４が接続されている。
【００１６】
Ｄ／Ａコンバータ１２には、ＬＣＤ駆動電圧制御回路１４が接続され、ＬＣＤ駆動電圧制御回路１４はまた、ＬＣＤモジュール４に接続されている。
【００１７】
Ａ／Ｄコンバータ１３には、温度センサ６が接続されている。
【００１８】
本実施の形態では、ＬＣＤ３の駆動電圧は、ＬＣＤ３の温度が０℃のときの標準的な駆動電圧として予め設定されている基準値と、液晶表示装置１が使用される室内の明るさなど使用状態或いは好みによってユーザが調節したユーザ設定値と、ＬＣＤ３の温度によって変位する補正値とからなる。基準値，ユーザ設定値，補正値は、それぞれＲＡＭ９の所定領域に設けられた基準値メモリ，ユーザ設定値メモリ，補正値メモリに格納されている。
【００１９】
図４に示すフローチャートを用いて、ＬＣＤ３の温度に応じてＬＣＤ３の駆動電圧を自動設定する処理の流れについて説明する。
【００２０】
ステップＳ１では、１００回分の測定値から平均値Ａを得る。まず、ＬＣＤ３の温度を温度センサ６で測温し、アナログ値として得られる温度をＡ／Ｄコンバータ１３でデジタル値に変換して、ＲＡＭ９の所定領域に格納する。これを２０ｍｓ毎に５回繰り返し、５個の測定値を得る。次に、５個の測定値のうち最高値及び最低値を除いた３個を平均して、第一次の平均値を得る。さらに、ここまでの処理を２０回繰り返し、第一次の平均値を２０個得る。そして、２０個の第一次の平均値のうち最高値と最低値とを除いた１８個を平均して、最終的な平均値Ａを得る。
【００２１】
ステップＳ２では、平均値Ａと、前回の平均値であって現在設定されている現在値Ｂとを比較する。平均値Ａが現在値Ｂよりも高かった場合には、ステップＳ３へ進み、現在値Ｂに１を足す。また、平均値Ａが現在値Ｂと等しい場合には、ステップＳ４へ進み、現在値Ｂは変更しない。そして、平均値Ａが現在値Ｂよりも低かった場合には、ステップＳ５へ進み、現在値Ｂから１を引く。
【００２２】
ステップＳ３，ステップＳ４，またはステップＳ５で、現在値Ｂへの処理を行ったら、ステップＳ６へ進む。ステップＳ６では、現在値Ｂから補正値Ｂ'を得る。補正値Ｂ'は、所定の計算式に現在値Ｂを代入することによって算出される。
【００２３】
そして、ステップＳ６からステップＳ７へ進み、ステップＳ７では、ＬＣＤ３を駆動する新たな電圧値Ｃを決定する。電圧値Ｃは、基準値Ｏと、補正値Ｂ'と、ユーザ設定値Ｕとを足した値である。
【００２４】
決定された新たな電圧値Ｃは、Ｄ／Ａコンバータ１２を介してアナログ値としてＬＣＤ駆動電圧制御回路１４へ伝えられる。そして、ＬＣＤ駆動電圧制御回路１４は、新たに設定された駆動電圧でＬＣＤモジュール４を駆動する。
【００２５】
本実施の形態によれば、高価な温度補償回路を設けることなく、ソフト的な処理によってＬＣＤ３の温度に応じて駆動電圧を変えることにより、温度に拘わらず表示濃度を略一定に保つことができる。また、本実施の形態では、ステップＳ３及びステップＳ５において現在値Ｂを１ずつ徐々に変えるようにしているので、急激に駆動電圧が切り替えられることがなく、急激な表示濃度の変動が起こらない。
【００２６】
なお、本実施の形態では、補正値Ｂ'は演算で得ているが、実施にあたっては、ＬＣＤ３の各温度毎に所定の値が予め設定されているのであっても良い。
【００２７】
【発明の効果】
請求項１記載の発明によれば、液晶表示パネルの温度変化に応じて液晶表示パネルの駆動電圧が調節されるため、液晶表示パネルの表示濃度を略一定に保つことができる。
【図面の簡単な説明】
【図１】本発明の実施の一形態の液晶表示装置の外観を示す斜視図である。
【図２】裏面側から見たＬＣＤモジュールを示す説明図である。
【図３】液晶表示装置が備える制御系のブロック図である。
【図４】ＬＣＤの温度に応じて駆動電圧を調節する流れを示すフローチャートである。
【符号の説明】
１      液晶表示装置
３      液晶表示パネル
６      温度センサ
【図１】
0003892591.tif 000002
【図２】
0003892591.tif 000003
【図３】
0003892591.tif 000004
【図４】
0003892591.tif 000005